(57)【要約】【課題】製造が簡単で、製造コストが安く製造できる装飾チェーン用のデザインパーツを提供することを課題とする。【解決手段】プレス成形により、連接部１ａから折り畳み可能に形成した貴金属製外装体１と、貴金属製外装体１内に収容される弾性体２とよりなる装飾チェーン用デザインパーツ３であって、貴金属製外装体１は、連接部１ａを介して左右または上下一体の底面部１ｂに装飾チェーン挿通用の貫通孔１ｃを有する弾性体収容用の凹部１ｄと、外周縁１ｅの少なくとも一部に装飾チェーンの一端の連接環の挿通用の孔１ｆを有する突出部１ｇを設けてなり、弾性体２は、貴金属製外装体１の弾性体収容用の凹部１ｄ内に収容した状態で貴金属製外装体１を折り畳んだとき、貴金属製外装体１の弾性体収容用の凹部１ｄの底面部１ｂに設けた装飾チェーン挿通用の貫通孔１ｃと通ずる装飾チェーン挿通用の孔２ａを設けてなる装飾チェーン用のデザインパーツ３。【選択図】　図１
2004113738.tif 000002
【特許請求の範囲】
【請求項１】
プレス成形により、連接部から折り畳み可能に形成した貴金属製外装体（１）と、この貴金属製外装体（１）内に収容される弾性体（２）とよりなる装飾チェーン用デザインパーツ（３）であって、
前記貴金属製外装体（１）は、連接部（１ａ）を介して左右または上下一体の底面部（１ｂ）に装飾チェーン挿通用の貫通孔（１ｃ）を有する弾性体収容用の凹部（１ｄ）と、外周縁（１ｅ）の少なくとも一部に装飾チェーンの一端の連接環の挿通用の孔（１ｆ）を有する突出部（１ｇ）を設けてなり、
前記弾性体（２）は、前記貴金属製外装体（１）の弾性体収容用の凹部（１ｄ）内に収容した状態で前記貴金属製外装体（１）を折り畳んだとき、前記貴金属製外装体（１）の弾性体収容用の凹部（１ｄ）の底面部（１ｂ）に設けた装飾チェーン挿通用の貫通孔（１ｃ）と通ずる装飾チェーン挿通用の孔（２ａ）を設けてなることを特徴とする装飾チェーン用のデザインパーツ（３）。
【請求項２】
プレス成形により、連接部から折り畳み可能に形成した貴金属製外装体（１′）と、この貴金属製外装体（１′）内に収容される弾性体（２′）とよりなる装飾チェーン用デザインパーツ（３′）であって、
前記貴金属製外装体（１′）は、連接部（１ａ′）を介して左右または上下一体の縦割り半筒状体（１ｈ）で、しかも前記縦割り半筒状体（１ｈ）の両閉端（１ｉ）に装飾チェーン挿通用の切欠または孔（１ｊ）を有し、かつ、前記縦割り半筒状体（１ｈ）の長手方向の外周縁（１ｉ）の少なくとも一部に装飾チェーンの一端の連接環の挿通用の孔（１ｆ′）を有する突出部（１ｇ′）を設けてなり、
前記弾性体（２′）は、前記貴金属製外装体（１′）の縦割り半筒状体（１ｈ）内に収納した状態で前記貴金属製外装体（１′）を折り畳んだとき、前記貴金属製外装体（１′）の両閉端（１ｉ）に有する装飾チェーン挿通用の切欠または孔（１ｊ）と通じる装飾チェーン挿通用の孔（２ａ′）を設けてなることを特徴とする装飾チェーン用のデザインパーツ（３′）。
【発明の詳細な説明】
【０００１】
【発明の属する技術分野】
この発明は、装飾チェーンのリングの大きさを調整できるデザインパーツに関するものである。
【０００２】
【従来の技術】
従来、本出願人が、特願平９−２４３２９４号（特開平１１−４６８２６号公報）として出願した装身具がある。これは、図１３および図１４に示すように、ネックレス、ブレスレットなどの装飾チェーンからなる装飾具において、前記装飾チェーン５の一端５′に丸玉、ミラーボールなどのデザインパーツ６を取り付けるとともに、前記デザインパーツ６の貫通孔７にシリコンゴムのような弾性体８を挿入し、さらに、前記弾性体８に装飾チェーン５の直径より僅かに小径の貫通孔９を設け、この貫通孔９に前記装飾チェーン５の他端側を挿通した装身具としたものである。
なお、装飾チェーン５の他端５″に装飾チェーン抜け止め部材１０を取り付けている。
【０００３】
また、特開２０００−２４５５１６号公報に開示された図１５は、従来の装飾チェーン用のデザインパーツの製造方法の一例の概念図である。この例はデザインパーツを貴金属の丸球にて構成した例を示すものであり、先ず、第一工程は半球型１１ａ，１１ｂをロウ付け加工あるいは熱溶着加工によって丸球１１を形成し、この丸球１１の対向した位置に孔部１４，１４を穿設する。第二工程はこの丸球１１を型１６内にセットし、未架橋シリコンゴムを丸球１１内の空洞部１３内に流し込み、この状態を維持して加熱して架橋させてシリコンエラストマー１５が丸球１１内に充填された構造とする。第三工程はシリコンエラストマー１５に針状物にて小さい孔部１７を開ける工程であり、最後に第四工程で孔部１７内に装飾チェーン１２を挿通して装飾チェーン状飾身具が完成するものである。
【０００４】
また、特開２０００−２４５５１６号公報に開示された装飾チェーン用のデザインパーツの製造方法においては、図１６に示すように、貫通される装飾チェーンの直径より大きく、かつ、後述する鉤部が挿通し得る大きさの貫通孔１８ａ，１８ｂが対向した位置の２箇所に穿設された貴金属製の中空殼体１８を製造する工程と、図１７の（ａ），（ｂ）に示すように、ドーナツ状の弾性材１９の中心部に穿設された装飾チェーン挿入孔１９ａを固定部２０に固定した固定鉤体２１の鉤部２１ａと移動鉤体２２の鉤部２２ａとに引っ掛けるととに、移動鉤体２２にその端から前記中空殻体１８を通す工程と、前記移動鉤体２２を矢印Ａで示す方向に引っ張って前記ドーナツ状の弾性材１９を引き延ばすとともに、矢印Ｂで示すように、前記中空殻体１８を伸びたドーナツ状の弾性体１９の方へ移動させて、他の方向から見た図１７の（ｂ）に示すように、伸びたドーナツ状の弾性材１９を前記中空殼体１８の一方の貫通孔１８ａから中空殻体１８の中に圧入する工程とよりなる装飾チェーン用のデザインパーツの製造方法としたものである。
なお、図１７の（ｃ）は中空殻体１８の中に前記ドーナツ状の弾性体１９が圧入された状態を示す断面図であり、図１７の（ｄ）は、前記中空殻体１８の中に圧入されたドーナツ状の弾性体１９の中心部に穿設された装飾チェーン挿入孔１９ａが、前記中空殻体１８の貫通孔１８ａ，１８ｂと対向するように、前記ドーナツ状の弾性体１９を回動させて完成した装飾チェーン用のデザインパーツの断面図である。
【０００５】
【発明が解決しようとする課題】
前記図１３および図１４に示すようなデザインパーツ６は、これに穿設した貫通孔７にシリコンゴムのような弾性体８を挿入し、さらに、この弾性体８に装飾チェーン５の直径より僅かに小径の貫通孔９を穿設しなければならず、そのデザインパーツ６が小さければ小さいほど、製造が面倒で、製造コストが高くなるといった問題があった。また、デザインパーツ６に、装飾チェーン５の一端５′を係止するための小さな環体を取り付けて置かなければならず、その取り付けが面倒であった。
【０００６】
また、前記図１５に示す従来の装飾チェーン用のデザインパーツの製造方法は、シリコンエラストマー１５に針状物にて小さな孔部１７を開ける第三工程が必要である問題があった。
【０００７】
また、前記図１６および図１７に示すような装飾チェーン用のデザインパーツの製造方法（図１７参照）は、図１７の（ｄ）に示すように、前記中空殻体１８の中に圧入されたドーナツ状の弾性材１９の中心部に穿設された装飾チェーン挿入孔１９ａが、前記中空殻体１８の貫通孔１８ａ，１８ｂと対向するように、前記ドーナツ状の弾性材１９を回動させなければならないので、製造が面倒で、製造効率が悪いといった問題があった。
【０００８】
この発明は、前記のような問題をなくした装飾チェーン用のデザインパーツを提供することを目的とするものである。
【０００９】
【課題を解決するための手段】
前記目的を達成するために、請求項１に係る発明は、プレス成形により、連接部から折り畳み可能に形成した貴金属製外装体１と、この貴金属製外装体１内に収容される弾性体２とよりなる装飾チェーン用デザインパーツ３であって、前記貴金属製外装体１は、連接部１ａを介して左右または上下一体の底面部１ｂに装飾チェーン挿通用の貫通孔１ｃを有する弾性体収容用の凹部１ｄと、外周縁１ｅの少なくとも一部に装飾チェーンの一端の連接環の挿通用の孔１ｆを有する突出部１ｇを設けてなり、前記弾性体２は、前記貴金属製外装体１の弾性体収容用の凹部１ｄ内に収容した状態で前記貴金属製外装体１を折り畳んだとき、前記貴金属製外装体１の弾性体収容用の凹部１ｄの底面部１ｂに設けた装飾チェーン挿通用の貫通孔１ｃと通ずる装飾チェーン挿通用の孔２ａを設けてなることを特徴とする装飾チェーン用のデザインパーツ３としたものである。
【００１０】
また、請求項２に係る発明は、プレス成形により、連接部から折り畳み可能に形成した貴金属製外装体１′と、この貴金属製外装体１′内に収容される弾性体２′とよりなる装飾チェーン用デザインパーツ３′であって、前記貴金属製外装体１′は、連接部１ａ′を介して左右または上下一体の縦割り半筒状体１ｈで、しかも前記縦割り半筒状体１ｈの両閉端１ｉに装飾チェーン挿通用の切欠または孔１ｊを有し、かつ前記縦割り半筒状体１ｈの長手方向の外周縁１ｋの少なくとも一部に装飾チェーンの一端の連接環の挿通用の孔１ｆ′を有する突出部１ｇ′を設けてなり、前記弾性体２′は、前記貴金属製外装体１′の縦割り半筒状体１ｈ内に収納した状態で前記貴金属製外装体１′を折り畳んだとき、前記貴金属製外装体１′の両閉端１ｉに有する装飾チェーン挿通用の切欠または孔１ｊと通じる装飾チェーン挿通用の孔２ａ′を設けてなることを特徴とする装飾チェーン用のデザインパーツ３′としたものである。
【００１１】
装飾チェーン用のデザインパーツを前記のように構成したので、前記貴金属製外装体１，１′は、連接部１ａ，１ａ′で折り畳んだときに、凹みで囲まれた空間に、中央部に装飾チェーンが挿通する孔２ａ，２ａ′が穿設された弾性部材２，２′を収納して、折り畳んだ接合部を例えばスポット溶接等で固定することによって、簡単に装飾チェーン用のデザインパーツ３，３′を製造することができる。
【００１２】
【実施の形態】
図１〜図５は請求項１に係る発明の装飾チェーン用のデザインパーツの第１の実施の形態を示すもので、図１は展開した状態の貴金属外装部材１の平面図、図２は図１のＡ−Ａ線方向における断面図、図３は展開した状態の貴金属外装部材１の斜視図である。この貴金属外装部材１は、例えば金、銀、プラチナ等の貴金属材料をプレス成形して、連接部１ａを介して左右または上下一体の底面部１ｂ，１ｂに装飾チェーン挿通用の貫通孔１ｃ，１ｃを有する弾性体収容用の皿状の凹部１ｄ，１ｄが形成され、さらに、外周縁１ｅ，１ｅの少なくとも一部に装飾チェーンの一端の連接環の挿通用の孔１ｆ，１ｆを有する突出部１ｇ，１ｇが形成されている。前記弾性体収容用の凹部１ｄ，１ｄに収容されるシリコンゴムのような弾性体２は、前記貴金属製外装体１の弾性体収容用の凹部１ｄ，１ｄ内に収容した状態で前記貴金属製外装体１を折り畳んだとき、前記貴金属製外装体１の弾性体収容用の凹部１ｄ，１ｄの底面部１ｂ，１ｂに穿設した装飾チェーン挿通用の貫通孔１ｃ，１ｃと通ずる装飾チェーン挿通用の孔２ａを設けている。
【００１３】
図４は前記貴金属製外装体１の弾性体収容用の凹部１ｄ，１ｄ内に収容される、中央部に装飾チェーンが挿通する孔２ａが穿設されたシリコンゴム製の円盤状の弾性部材２の各実施の形態を示す平面図である。（ａ）図は円盤状の弾性部材２の中央部に装飾チェーンが挿通する孔２ａが穿設された実施の形態を示し、（ｂ）図は円盤状の弾性部材２の中央部に装飾チェーンが挿通する＋字状の切り込２ａ′が設けられた実施の形態を示し、（ｃ）図は円盤状の弾性部材２の中央部に装飾チェーンが挿通する−字状の切り込み２ａ″が設けられた実施の形態を示している。
【００１４】
前記貴金属製外装体１の弾性体収容用の凹部１ｄ，１ｄ内に前記円盤状の弾性部材２を収納して折り畳むとともに、折り畳んで接合した外周縁１ｅ，１ｅを例えばスポット溶接等で固定することによって、簡単に図５に示すような装飾チェーン用のデザインパーツ３を製造することができる。
【００１５】
図６〜図９は請求項１に係る発明の装飾チェーン用のデザインパーツの第２の実施の形態を示すもので、図６は展開した状態の貴金属外装部材１の平面図、図７は図６のＢ−Ｂ線方向における断面図である。この貴金属外装部材１は、例えば金、銀、プラチナ等の貴金属材料をプレス成形して、連接部１ａを介して左右または上下一体の底面部１ｂ，１ｂに装飾チェーン挿通用の貫通孔１ｃ，１ｃを有する弾性体収容用の椀状の凹部１ｄ，１ｄが形成され、さらに、外周縁１ｅ，１ｅの少なくとも一部に装飾チェーンの一端の連接環の挿通用の孔１ｆ，１ｆを有する突出部１ｇ，１ｇが形成されている。前記弾性体収容用の凹部１ｄ，１ｄに収容される弾性体２は、図８に示すようなシリコンゴム製の球体であり、前記貴金属製外装体１の弾性体収容用の凹部１ｄ，１ｄ内に収容した状態で前記貴金属製外装体１を折り畳んだとき、前記貴金属製外装体１の弾性体収容用の凹部１ｄ，１ｄの底面部１ｂ，１ｂに穿設した装飾チェーン挿通用の貫通孔１ｃ，１ｃと通ずる装飾チェーン挿通用の孔２ａが穿設されている。
【００１６】
前記貴金属製外装体１の弾性体収容用の凹部１ｄ，１ｄ内に前記球体の弾性部材２を収納して折り畳むとともに、折り畳んで接合した外周縁１ｅ，１ｅを例えばスポット溶接等で固定することによって、簡単に図９に示すような装飾チェーン用のデザインパーツ３を製造することができる。
【００１７】
図１０〜図１２は請求項２に係る発明の装飾チェーン用のデザインパーツの実施の形態を示すもので、図１０は展開した状態の貴金属外装部材１′の斜視図、図１１は弾性体２′の斜視図、図１２は請求項２に係る発明の装飾チェーン用のデザインパーツ３′の斜視図である。
【００１８】
この請求項２に係る発明の装飾チェーン用のデザインパーツ３′は、例えば金、銀、プラチナ等の貴金属材料をプレス成形して連接部１ａ′から折り畳み可能に形成した貴金属製外装体１′と、この貴金属製外装体１′内に収容されるシリコンゴムのような弾性体２′とよりなる装飾チェーン用デザインパーツ３′であって、前記貴金属製外装体１′は、連接部１ａ′を介して左右または上下一体の縦割り半筒状体１ｈ，１ｈで、しかも、前記縦割り半筒状体１ｈ，１ｈの両閉端１ｉ，１ｉに装飾チェーン挿通用の切欠または孔１ｊ，１ｊを有し、かつ、前記縦割り半筒状体１ｈ，１ｈの長手方向の外周縁１ｋ，１ｋの少なくとも一部に装飾チェーンの一端の連接環の挿通用の孔１ｆ′，１ｆ′を有する突出部１ｇ′，１ｇ′を設けてなり、前記弾性体２′は円柱状で、前記貴金属製外装体１′の縦割り半筒状体１ｈ，１ｈ内に収納した状態で前記貴金属製外装体１′を折り畳んだとき、貴金属製外装体１′の両閉端１ｉ，１ｉに有する装飾チェーン挿通用の切欠または孔１ｊ，１ｊと通じる装飾チェーン挿通用の孔２ａ′を設けている。
【００１９】
前記貴金属製外装体１′の縦割り半筒状体１ｈ，１ｈ内に前記円柱状の弾性部材２′を収納して折り畳むとともに、折り畳んで接合した前記縦割り半筒状体１ｈ，１ｈの長手方向の外周縁１ｋ，１ｋを例えばスポット溶接等で固定することによって、簡単に図１２に示すような装飾チェーン用のデザインパーツ３′を製造することができる。
【００２０】
【発明の効果】
請求項１に係る発明の装飾チェーン用のデザインパーツは、プレス成形により、連接部から折り畳み可能に形成した貴金属製外装体と、この貴金属製外装体内に収容される弾性体とよりなる装飾チェーン用デザインパーツであって、前記貴金属製外装体は、連接部を介して左右または上下一体の底面部に装飾チェーン挿通用の貫通孔を有する弾性体収容用の凹部と、外周縁の少なくとも一部に装飾チェーンの一端の連接環の挿通用の孔を有する突出部を設けてなり、前記弾性体は、前記貴金属製外装体の弾性体収容用の凹部内に収容した状態で前記貴金属製外装体を折り畳んだとき、前記貴金属製外装体の弾性体収容用の凹部の底面部に設けた装飾チェーン挿通用の貫通孔と通ずる装飾チェーン挿通用の孔を設けてなることを特徴とするので、貴金属製外装体の連接部で折り畳んだときにできる凹みで囲まれた空間に、中央部に装飾チェーンが挿通する孔が穿設された弾性部材を収納して、折り畳んだ接合部を例えばスポット溶接等で固定することによって、装飾チェーン用のデザインパーツを簡単に製造し提供することができる。
【００２１】
また、請求項２に係る発明の装飾チェーン用のデザインパーツは、プレス成形により、連接部から折り畳み可能に形成した貴金属製外装体と、この貴金属製外装体内に収容される弾性体とよりなる装飾チェーン用デザインパーツであって、前記貴金属製外装体は、連接部を介して左右または上下一体の縦割り半筒状体で、しかも前記縦割り半筒状体の両閉端に装飾チェーン挿通用の切欠または孔を有し、かつ、前記縦割り半筒状体の長手方向の外周縁の少なくとも一部に装飾チェーンの一端の連接環の挿通用の孔を有する突出部を設けてなり、前記弾性体は、前記貴金属製外装体の縦割り半筒状体内に収納した状態で前記貴金属製外装体を折り畳んだとき、前記貴金属製外装体の両閉端に有する装飾チェーン挿通用の切欠または孔と通じる装飾チェーン挿通用の孔を設けてなることを特徴とするので、貴金属製外装体の縦割り半筒状体内に円柱状の弾性部材を収納して折り畳むとともに、折り畳んで接合した前記縦割り半筒状体の長手方向の外周縁を例えばスポット溶接等で固定することによって、装飾チェーン用のデザインパーツを簡単に製造し提供することができる。
【図面の簡単な説明】
【図１】請求項１に係る発明の第１の実施の形態の装飾チェーン用のデザインパーツの構成部材である貴金属外装部材の展開した状態の平面図である。
【図２】図１のＡ−Ａ線方向における断面図である。
【図３】展開した状態の貴金属外装部材の斜視図である。
【図４】貴金属製外装体の弾性体収容用の凹部内に収容される弾性部材の各実施の形態を示す平面図である。
【図５】請求項１に係る発明の第１の実施の形態の装飾チェーン用のデザインパーツの側面図である。
【図６】請求項１に係る発明の第２の実施の形態の装飾チェーン用のデザインパーツの構成部材である貴金属外装部材の展開した状態の平面図である。
【図７】図６のＢ−Ｂ線方向における断面図である。
【図８】球体の弾性体を示す図である。
【図９】装飾チェーン用のデザインパーツを示す図である。
【図１０】請求項２に係る発明の装飾チェーン用のデザインパーツの構成部材である貴金属外装部材の展開した状態の斜視図である。
【図１１】貴金属外装部材の半筒状体内に収容される弾性体の斜視図である。
【図１２】請求項２に係る発明の装飾チェーン用のデザインパーツの斜視図である。
【図１３】従来の装飾チェーン用のデザインパーツを装飾チェーンに取り付けた状態の図である。
【図１４】従来の装飾チェーン用のデザインパーツを装飾チェーンに取り付けた状態の拡大断面図である。
【図１５】従来の装飾チェーン用のデザインパーツの製造方法の一例を示す概念図である。
【図１６】従来の装飾チェーン用のデザインパーツの製造方法で用いられる貴金属製の中空殻体の断面図である。
【図１７】従来の装飾チェーン用のデザインパーツの製造方法における製造工程を示す図である。
【符号の説明】
１，１′　　　貴金属外装部材
１ａ，１ａ′　連接部
１ｂ　　　　　底面部
１ｃ　　　　　装飾チェーン挿通用の貫通孔
１ｄ　　　　　弾性体収容用の凹部
１ｅ　　　　　外周縁
１ｆ，１ｆ′　連接環の挿通用の孔
１ｇ，１ｇ′　突出部
１ｈ　　　　　縦割り半筒状体
１ｈ　　　　　縦割り半筒状体
１ｉ　　　　　両閉端
１ｊ　　　　　切欠または孔
１ｋ　　　　　長手方向の外周縁
２，２′　　　弾性体
２ａ　　　　　装飾チェーン挿通用の孔
３，３′　　　装飾チェーン用デザインパーツ
【図１】
2004113738.tif 000003
【図２】
2004113738.tif 000004
【図３】
2004113738.tif 000005
【図４】
2004113738.tif 000006
【図５】
2004113738.tif 000007
【図６】
2004113738.tif 000008
【図７】
2004113738.tif 000009
【図８】
2004113738.tif 000010
【図９】
2004113738.tif 000011
【図１０】
2004113738.tif 000012
【図１１】
2004113738.tif 000013
【図１２】
2004113738.tif 000014
【図１３】
2004113738.tif 000015
【図１４】
2004113738.tif 000016
【図１５】
2004113738.tif 000017
【図１６】
2004113738.tif 000018
【図１７】
2004113738.tif 000019